(57)【要約】【課題】取付作業のコストが低減になり、必要の道具の点数も少なくなり、取付精度が良くなり、取付作業が容易になり、且つ誘導読取ヘッドを取付けた後に、誘導読取ヘッドの動作が正確かどうかを確認することが可能になる。【解決手段】磁気誘導物差を検知するときに方形波信号を発生するホールセンサーを含むセンサーユニットと、前記センサーユニットの信号状態を表示する表示素子を含む信号表示ユニットと、前記センサーユニットの信号を一組のＺ及び/Ｚ信号に転換して、前記信号をメインフレームに転送する信号出力ユニットとを含むことを特徴とする磁気誘導物差用誘導読取ヘッドの矯正装置。【選択図】図１
2008064521.tif 000002
【特許請求の範囲】
【請求項１】
磁気誘導物差を検知するときに方形波信号を発生するホールセンサーを含むセンサーユニットと、
前記センサーユニットの信号状態を表示する表示素子を含む信号表示ユニットと、
前記センサーユニットの信号を一組のＺ及び/Ｚ信号に転換して、前記信号をメインフレームに転送する信号出力ユニットとを含むことを特徴とする、
磁気誘導物差用誘導読取ヘッドの矯正装置。
【請求項２】
前記信号表示ユニットは、前記センサーユニットの信号を表示素子に出力して前記表示素子を駆動する増幅トランジスターを含むことを特徴とする、請求項１に記載の磁気誘導物差用誘導読取ヘッドの矯正装置。
【請求項３】
前記表示素子はＬＥＤ素子であり、前記センサーユニットがハイレベル信号を出力するときに、前記ＬＥＤ素子が消灯するようになり、なお、前記センサーユニットがローレベル信号を出力するときに、前記ＬＥＤ素子が点灯するようになることを特徴とする、請求項１に記載の磁気誘導物差用誘導読取ヘッドの矯正装置。
【請求項４】
前記信号出力ユニットは両極演算増幅逆方向増幅回路を含むことを特徴とする、請求項１に記載の磁気誘導物差用誘導読取ヘッドの矯正装置。
【請求項５】
前記両極演算増幅逆方向増幅回路は、演算増幅器と、レベル参考用電源と、増幅比率用抵抗とを含むことを特徴とする、請求項１に記載の磁気誘導物差用誘導読取ヘッドの矯正装置。
【発明の詳細な説明】
【技術分野】
【０００１】
本発明は、磁気誘導物差用誘導読取ヘッドに係り、特に、正確の取付ギャップを表示する表示ユニットを持つ誘導読取ヘッド装置がその自身に設けられ、且つ参考点信号出力機能を持つ磁気誘導物差用誘導読取ヘッドの矯正装置に関するものである。
【背景技術】
【０００２】
従来の磁気誘導物差用誘導読取ヘッドの取付方式は、下記の３種類の方式があった。
【０００３】
（イ）道具を一切使用しなく、目視で取り付ける方式：視覚誤差または個人技術の差別により、取付けたギャップが有効誘導距離よりも大きいことがあり、そうすると、誘導読取ヘッドが正常に作動できないようになり、だから、調整および矯正を繰り返す必要がある。
【０００４】
（ロ）物差を利用して取り付ける方式：誘導読取ヘッドが機械に取付けられたときに、物差により誘導読取ヘッドと磁気誘導物差とのギャップを測り、前記ギャップが有効誘導距離内に落ちるように誘導読取ヘッドを調整することが必要であり、しかし、この取付方式は、工数がかなり掛かられ、使用が極めて不便であり、機械のスペースが狭いと正確に測ることが無理である。
【０００５】
（ハ）専用ジグを利用して取り付ける方式：ギャップ・ストリップなどのジグを利用することにより、取付作業が簡単化になり、且つ取付けるギャップを正確にすることができ、しかし、各機械に対応する専用ジグをそれぞれ作製することが必要であり、コストが増加する。
【発明の開示】
【発明が解決しようとする課題】
【０００６】
本発明の主な目的は、取付作業のコストが低減になり、必要の道具の点数も少なくなり、取付精度が良くなり、取付作業が容易になり、且つ誘導読取ヘッドを取付けた後に、誘導読取ヘッドの動作が正確かどうかを確認可能である磁気誘導物差用誘導読取ヘッドの矯正装置を提供する。
【課題を解決するための手段】
【０００７】
上記の目的を達成するためになされた本願の発明は、磁気誘導物差を検知するときに方形波信号を発生するホールセンサーを含むセンサーユニットと、前記センサーユニットの信号状態を表示する表示素子を含む信号表示ユニットと、前記センサーユニットの信号を一組のＺ及び/Ｚ信号に転換して、前記信号をメインフレームに転送する信号出力ユニットとを含むことを特徴とする磁気誘導物差用誘導読取ヘッドの矯正装置であることを要旨としている。
【０００８】
本願の発明では、前記信号表示ユニットは、前記センサーユニットの信号を表示素子に出力して前記表示素子を駆動する増幅トランジスターを含むことを特徴とする請求項１に記載の磁気誘導物差用誘導読取ヘッドの矯正装置であることを要旨としている。
【０００９】
本願の発明では、前記表示素子はＬＥＤ素子であり、前記センサーユニットがハイレベル信号を出力するときに、前記ＬＥＤ素子が消灯するようになり、なお、前記センサーユニットがローレベル信号を出力するときに、前記ＬＥＤ素子が点灯するようになることを特徴とする請求項１に記載の磁気誘導物差用誘導読取ヘッドの矯正装置であることを要旨としている。
【００１０】
本願の発明では、前記信号出力ユニットは両極演算増幅逆方向増幅回路を含むことを特徴とする請求項１に記載の磁気誘導物差用誘導読取ヘッドの矯正装置であることを要旨としている。
【００１１】
本願の発明では、前記両極演算増幅逆方向増幅回路は、演算増幅器と、レベル参考用電源と、増幅比率用抵抗とを含むことを特徴とする請求項１に記載の磁気誘導物差用誘導読取ヘッドの矯正装置であることを要旨としている。
【発明の効果】
【００１２】
本発明の磁気誘導物差用誘導読取ヘッドの矯正装置によれば、取付作業のコストが低減になり、必要の道具の点数も少なくなり、取付精度が良くなり、取付作業が容易になり、且つ誘導読取ヘッドを取付けた後に、誘導読取ヘッドの動作が正確かどうかを確認することが可能になる。
【発明を実施するための最良の形態】
【００１３】
以下、添付図面を参照して本発明の好適な実施の形態を詳細に説明する。
【００１４】
まず、図１と図２を参照する。本発明の磁気誘導物差用誘導読取ヘッドの矯正装置は、その誘導読取ヘッド１０は、主に、センサーユニット２０と、信号表示ユニット３０と、信号出力ユニット３０とを含む。
【００１５】
前記センサーユニット２０は、磁気誘導物差を検知するときに、ホール効果によって方形波信号を発生するホールセンサー２１を含み、前記ホールセンサー２１がＮ極磁界を感応しているときに、前記センサーユニット２０がハイレベル信号を出力し、なお、前記ホールセンサー２１がＳ極磁界を感応しているときに、前記センサーユニット２０がローレベル信号を出力する。
【００１６】
前記信号表示ユニット３０は、前記センサーユニット２０の信号を表示素子３２に出力して前記表示素子３２を駆動して前記センサーユニット２０の信号状態を表示する増幅トランジスター３１を含み、前記表示素子３２は少なくとも一つのＬＥＤ素子３３であり、前記センサーユニット２０がハイレベル信号を出力するときに、前記ＬＥＤ素子３３が消灯するようになり、なお、前記センサーユニット２０がローレベル信号を出力するときに、前記ＬＥＤ素子３３が点灯するようになる。
【００１７】
前記信号出力ユニット４０は両極演算増幅逆方向増幅回路４１を含み、前記両極演算増幅逆方向増幅回路４１は、演算増幅器４２と、レベル参考用電源４３と、増幅比率用抵抗４４とを含み、前記センサーユニット２０の信号を一組のＺ及び/Ｚ信号に転換して、前記信号をメインフレームに転送するためのものであり、前記センサーユニット２０がハイレベル信号を出力するときに、Ｚ相の出力信号がローレベルになり、/Ｚ相の出力信号がハイレベルになり、なお、前記センサーユニット２０がローレベル信号を出力するときに、Ｚ相の出力信号がハイレベルになり、/Ｚ相の出力信号がローレベルになり、これにより、機械は参考点信号を接収することができ、前記信号によって機械の原点をコントロールすることができる。
【００１８】
また、図３と図４を参照する。前記センサーユニット２０のホールセンサー２１はホール効果によって磁界変化を感応することができるので、誘導読取ヘッド１０の取付作業は、まず、作業者が誘導読取ヘッド１０を遠くから近くへ調整して、誘導読取ヘッド１０が磁気誘導物差５０の有効感応距離内に入ったときに、方形波信号を出力し、且つ増幅トランジスター３１によって前記センサーユニット２０の信号を前記表示素子３２に出力して、前記表示素子３２を駆動し、これにより、作業者は誘導読取ヘッド１０が正確の取付位置に位置するかどうかを確認することができるようになる。
【００１９】
また、前記センサーユニット２０がハイレベル信号を出力するときに、前記ＬＥＤ素子３３が消灯するようになり、なお、前記センサーユニット２０がローレベル信号を出力するときに、前記ＬＥＤ素子３３が点灯するようになるので、誘導読取ヘッド１０が磁気誘導物差５０の有効感応距離内に位置して磁気誘導物差５０の方向に変位するときに、ＬＥＤ素子３３は、磁気誘導物差５０のＮ極およびＳ極磁界の変化により点滅するようになり、前記ＬＥＤ素子３３の点滅により、作業者は誘導読取ヘッド１０が正確に読取れるかどうかを確認することができる。
【図面の簡単な説明】
【００２０】
【図１】本発明の構造を示す概略図である。
【図２】本発明の回路を示す概略図である。
【図３】本発明の取付動作を示す概略図である。
【図４】本発明の各ユニットの信号を示す概略図である。
【符号の説明】
【００２１】
１０      誘導読取ヘッド              ２０      センサーユニット
２１      ホールセンサー              ３０      信号表示ユニット
３１      増幅トランジスター          ３２      表示素子
３３      ＬＥＤ素子                  ４０      信号出力ユニット
４１      両極演算増幅逆方向増幅回路
４２      演算増幅器                  ４３      レベル参考用電源
４４      増幅比率用抵抗              ５０      磁気誘導物差
【図１】
2008064521.tif 000003
【図２】
2008064521.tif 000004
【図３】
2008064521.tif 000005
【図４】
2008064521.tif 000006